(57)【要約】【課題】  操作性を向上させるために操作ボタンに対応したボタン配置のイメージを表示画面に表示させるような構成を備えた画像表示装置を提供する。【解決手段】  画像表示装置は、前面側に設けられ、画像データを表示することが可能な表示手段と、背面側に設けられ、前記画像データに対する各種操作が可能な複数の操作ボタンからなる操作手段と、を備え、前記操作手段の操作ボタンに対応するボタン配置のイメージを前記画像データに重畳させて前記表示手段に表示するよう制御する表示制御手段を有する。【選択図】  図１
2010033135.tif 000002
【特許請求の範囲】
【請求項１】
前面側に設けられ、画像データを表示することが可能な表示手段と、背面側に設けられ、前記画像データに対する各種操作が可能な複数の操作ボタンからなる操作手段と、を備えた画像表示装置であって、
前記操作手段の操作ボタンに対応するボタン配置のイメージを前記画像データに重畳させて前記表示手段に表示するよう制御する表示制御手段を有することを特徴とする画像表示装置。
【請求項２】
前記表示制御手段は、前記ボタン配置のイメージを前記表示手段に表示する際に、背面側に設けられた操作ボタンを前面側から透かし見て同じ位置に同じ大きさの操作ボタンイメージによって表示するように制御することを特徴とする請求項１に記載の画像表示装置。
【請求項３】
前記表示制御手段は、前記ボタン配置のイメージを前記表示手段に表示する際に、各操作ボタンに対応するボタン機能の内容を表示するように制御することを特徴とする請求項１または請求項２に記載の画像表示装置。
【請求項４】
ユーザが操作ボタンに接触したか操作ボタンを押下したかを検知する検知手段を備え、
前記表示制御手段は、前記検知手段によりいずれかの操作ボタンがユーザによって接触あるいは押下されたことを検知されると、前記ボタン配置のイメージを前記表示手段に表示するように制御することを特徴とする請求項１ないし請求項３のいずれか1項に記載の画像表示装置。
【請求項５】
前記表示制御手段は、さらに前記検知手段によりいずれかの操作ボタンがユーザによって接触されたことを検知されると、当該操作ボタンに対応する前記ボタン配置のイメージを初期の表示状態から初期状態と異なる第１の表示態様で表示するように制御することを特徴とする請求項４に記載の画像表示装置。
【請求項６】
前記表示制御手段は、さらに前記検知手段により前記操作ボタンがユーザによって押下されたことを検知されると、当該操作ボタンに対応する前記ボタン配置のイメージを前記第１の表示状態から第２の表示態様で表示するように制御することを特徴とする請求項５に記載の画像表示装置。
【発明の詳細な説明】
【技術分野】
【０００１】
本発明は、デジタル画像データを表示する画像表示装置に関するものであり、特に、前面側に表示手段が設けられ、背面側に操作手段が設けられた画像表示装置に関するものである。
【背景技術】
【０００２】
近年、デジタルカメラや携帯電話で撮影したデジタル静止画像をメモリカードなどから取り込んで写真立てのように表示させたり、スライドショー機能により複数画像を切り替えて表示させたりすることによって、手軽にデジタル写真を日常的に楽しむことができるデジタルフォトフレームが普及し始めている。
【０００３】
このようなデジタルフォトフレームに関する従来例としては、例えば、下記の特許文献１（特開２００６−６５０３１号公報）に記載されている。この特許文献１に記載されている画像表示フレームは、操作部を裏蓋背面に、メモリカードスロットルを裏蓋の側面（厚み部分）に備え、操作部は、電源ボタン、切り替えボタンと、操作キーなどが裏蓋の裏面に配置されている。操作部を裏蓋に設けることにより、裏蓋内部に画像処理部、内部メモリ、リジッド基板、フレキシブル基板等が収められるため、フレームは細く、均一な太さにすることができるように構成されている。
【特許文献１】特開２００６−６５０３１号公報（段落［００１９］、図５）
【発明の開示】
【発明が解決しようとする課題】
【０００４】
ところで、従来のデジタルフォトフレームのように機構構造上の制約あるいはデザイン性の観点により操作キーを表示面に設けることができず、表示面とは異なる側面側や反対側に操作キーを設けなければならない場合がある。このため、操作キーと表示された内容を同時に確認できないので、ユーザの所望しないキー操作を行ってしまう可能性がある。特に、操作キーが表示面の裏側にある場合には、キー操作が不確実で非常に操作性が悪いという問題点がある。
【０００５】
本願の発明者は上記の問題点を解消すべく種々検討を重ねた結果、操作ボタンに対応したボタン配置のイメージ（キー配置図）を表示画面に表示することにより、表示画面に表示されたボタン配置のイメージを見ながらブラインドタッチでボタン操作を行なうようになせば、上記の問題点を解消し得ることを想到し本発明を完成するに至ったものである。
【０００６】
すなわち、本発明は、上記の問題点を解消することを課題とし、操作性を向上させるために操作ボタンに対応したボタン配置のイメージを表示画面に表示させるような構成を備えた画像表示装置を提供することを目的とするものである。
【課題を解決するための手段】
【０００７】
前記課題を解決するために、本願の請求項１に係る発明は、前面側に設けられ、画像データを表示することが可能な表示手段（例えば下記実施例では、表示部１１に相当する）と、背面側に設けられ、前記画像データに対する各種操作が可能な複数の操作ボタンからなる操作手段（例えば下記実施例では、操作部１２に相当する）と、を備えた画像表示装置であって、前記操作手段の操作ボタンに対応するボタン配置のイメージを前記画像データに重畳させて前記表示手段に表示するよう制御する表示制御手段（例えば下記実施例では、制御部１９に相当する）を有することを特徴とする。
【０００８】
また、本願の請求項２に係る発明は、請求項１に係る画像表示装置において、前記表示制御手段は、前記ボタン配置のイメージを前記表示手段に表示する際に、背面側に設けられた操作ボタンを前面側から透かし見て同じ位置に同じ大きさの操作ボタンイメージによって表示するように制御することを特徴とする。
【０００９】
また、本願の請求項３に係る発明は、請求項１または請求項２に係る画像表示装置において、前記表示制御手段は、前記ボタン配置のイメージを前記表示手段に表示する際に、各操作ボタンに対応するボタン機能の内容を表示するように制御することを特徴とする。
【００１０】
また、本願の請求項４に係る発明は、請求項１ないし請求項３のいずれか1項に係る画像表示装置において、ユーザが操作ボタンに接触したか操作ボタンを押下したかを検知する検知手段を備え、前記表示制御手段は、前記検知手段によりいずれかの操作ボタンがユーザによって接触あるいは押下されたことを検知されると、前記ボタン配置のイメージを前記表示手段に表示するように制御することを特徴とする。
【００１１】
また、本願の請求項５に係る発明は、請求項４に係る画像表示装置において、前記表示制御手段は、さらに前記検知手段によりいずれかの操作ボタンがユーザによって接触されたことを検知されると、当該操作ボタンに対応する前記ボタン配置のイメージを初期の表示状態から初期状態と異なる第１の表示態様で表示するように制御することを特徴とする。
【００１２】
また、本願の請求項６に係る発明は、請求項５に係る画像表示装置において、前記表示制御手段は、さらに前記検知手段により前記操作ボタンがユーザによって押下されたことを検知されると、当該操作ボタンに対応する前記ボタン配置のイメージを前記第１の表示状態から第２の表示態様で表示するように制御することを特徴とする。
【発明の効果】
【００１３】
請求項１に係る発明においては、画像表示装置は、背面側に設けられ操作手段の操作ボタンに対応するボタン配置のイメージを表示手段に表示された画像データに重畳させて表示するよう制御する。
このような構成によれば、操作ボタンに対応したボタン配置のイメージが表示手段に表示されるため、表示手段に表示されたボタン配置のイメージを見ながらブラインドタッチでボタン操作を行うことができるので、ユーザにとっての操作性が向上する。
【００１４】
また、請求項２に係る発明のおいては、請求項１に係る画像表示装置において、前記ボタン配置のイメージを前記表示手段に表示する際に、背面側に設けられた操作ボタンを前面側から透かし見て同じ位置に同じ大きさの操作ボタンイメージによって表示する。
【００１５】
このような構成によれば、操作ボタンに対応したボタン配置のイメージが背面側に設けられた操作ボタンの位置と対応して前面側の表示手段に表示されるため、表示手段に表示されたボタン配置のイメージを見ながらブラインドタッチでボタン操作を行うことができるので、ユーザにとっての操作性が向上する。
【００１６】
また、請求項３に係る発明のおいては、請求項１または請求項２に係る画像表示装置において、前記ボタン配置のイメージを前記表示手段に表示する際に、各操作ボタンに対応するボタン機能の内容を表示する。
【００１７】
このような構成によれば、操作ボタンに対応したボタン機能の内容が表示手段に表示されるため、ボタン操作の内容を把握しながらボタン操作を行うことができるので、ユーザにとっての操作性が向上する。
【００１８】
また、請求項４に係る発明のおいては、請求項１ないし請求項３のいずれか1項に係る画像表示装置において、ユーザが操作ボタンに接触したか操作ボタンを押下したかを検知する検知手段によりいずれかの操作ボタンがユーザによって接触あるいは押下されたことを検知されると、前記ボタン配置のイメージを前記表示手段に表示する。
【００１９】
このような構成によれば、ユーザがボタン操作を始める際に操作ボタンに対応したボタン配置のイメージが表示手段に表示されるため、表示手段に表示されたボタン配置のイメージを見ながらブラインドタッチでボタン操作を行うことができるので、ユーザにとっての操作性が向上する。
【００２０】
また、請求項５に係る発明のおいては、請求項４に係る画像表示装置において、さらに前記検知手段によりいずれかの操作ボタンがユーザによって接触されたことを検知されると、当該操作ボタンに対応する前記ボタン配置のイメージを初期の表示状態から初期状態と異なる第１の表示態様で表示する。
【００２１】
このような構成によれば、ユーザがボタン操作を行おうとするボタンイメージが異なる表示態様で表示手段に表示されるため、表示手段に表示されたボタン配置のイメージを見ながらユーザが操作しようとするボタンを視認することができるので、ユーザにとっての操作性が向上する。
【００２２】
また、請求項６に係る発明のおいては、請求項５に係る画像表示装置においてさらに前記検知手段により前記操作ボタンがユーザによって押下されたことを検知されると、当該操作ボタンに対応する前記ボタン配置のイメージを前記第１の表示状態から第２の表示態様で表示する。
【００２３】
このような構成によれば、ユーザがボタン操作を行ったボタンイメージが異なる表示態様で表示手段に表示されるため、表示手段に表示されたボタン配置のイメージを見ながらユーザが操作したボタンを視認することができるので、ユーザにとっての操作性が向上する。
【発明を実施するための最良の形態】
【００２４】
以下、本発明の具体例を実施例及び図面を用いて詳細に説明する。但し、以下に示す実施例は、本発明の技術思想を具体化するためのデジタルフォトフレームを例示するものであって、本発明をこのデジタルフォトフレームに特定することを意図するものではなく、特許請求の範囲に含まれるその他の実施形態の画像表示装置にも等しく適用し得るものである。
【実施例】
【００２５】
図１は、本発明の実施例に係るデジタルフォトフレームの一例を示す斜視図、図２は、図１におけるデジタルフォトフレームの背面図、図３は、本発明の実施例に係るデジタルフォトフレームの構成を示すブロック図である。
【００２６】
本実施例に係るデジタルフォトフレーム１０は、図１で示すように、矩形で扁平状の筐体の前面に設けられた表示部１１と、筐体の背面中央に設けられたスタンド２０とからなる。そして、筐体前面の下隅には、電源スイッチ２１が設けられている。
【００２７】
また、図２で示すように、デジタルフォトフレーム１０の背面には、縦置き／横置きの調整が可能なスタンド２０の他に、上方左右両側にステレオスピーカー２２−１，２２−２と、下方右側にＤＣ電源端子２３、ＳＤカード／メモリースティック用スロット２４、ＵＳＢメモリ端子２５と、下方左側に音量ダイヤル２６、ヘッドホン端子２７、中央左側に操作部１２が設けられている。なお、本実施例では、電源スイッチ２１をデジタルフォトフレーム１０の前面側に設けているが、背面側の操作部１２に設けてもよい。
【００２８】
さらに、デジタルフォトフレーム１０は、図３に示すように、表示部１１、操作部１２、内蔵メモリ１３、外部メモリインターフェース１４、フォトセンサー１５、電源制御部１６、データ通信モジュール１７、音声出力部１８、制御部１９などを備えて構成されている。なお、表示部１１は本発明の表示手段に相当し、操作部１２は本発明の操作手段に相当し、制御部１９は本発明の表示制御手段に相当に相当する。
【００２９】
表示部１１は、デジタルフォトフレーム１０の前面側に設けられた液晶ディスプレイから構成されるＬＣＤモジュール１１−１と、その裏面に設けられたＬＥＤ１１−２およびＬＥＤバックライトコントローラ１１−３とから構成され、制御部１９の制御により、メモリカードなどから読み出したデジタル画像データ（例えば、ＪＰＥＧファイル）がＬＣＤモジュール１１−１に再生表示される他、本発明では、後述するように、制御部１９によってＬＥＤバックライトコントローラ１１−３を制御することにより、操作部１２の操作ボタンに対応するボタン配置のイメージがＬＥＤ１１−２によって重畳表示される。
【００３０】
操作部１２は、デジタルフォトフレーム１０の背面側に設けられた複数の操作ボタン１２−１と、これらの操作ボタンにユーザが接触したことを検知するためのセンサ１２−２と、から構成される。ここで、ユーザがこれらの操作ボタンに接触したことを検知するためのセンサには、例えば、静電容量式あるいは感圧式のタッチセンサなどを用いることができる。
【００３１】
また、複数の操作ボタンは、具体的には、図２で示すように、表示部１１にメニュー画面を表示させるためのメニューボタン、スライドショー再生を止めるための画面消去ボタン、通常のスライドショー再生に戻すための戻るボタン、設定項目を選んだり画像データを切り換えるために次の画像データを再生したりするための次へボタン、設定項目を選んだり１つ前の画像データを再生したりするための前へボタン、設定項目を選んだり画像データを回転させたりするための回転ボタン、設定項目を選んだり表示部１１の明るさを調節したりするための明るさボタン、スライドショー再生を一時停止させたり選択した設定を確定させたりするための決定ボタンなどから構成されている。
【００３２】
内蔵メモリ１３は、後述する制御部１９がプログラム実行中に一時的に保持する必要の生じたデータが保存されるワーク用メモリであるＳＤＲＡＭ１３−１や、メモリカードなどから読み出された音楽データ（例えば、ＭＰ３形式の音楽ファイル）が保存されるユーザ領域などからなるＮＡＮＤ型フラッシュメモリ１３−２などから構成されている。音楽データは、後述するように、ＳＤメモリカードなどの可搬型記憶媒体からコピーすることによって得てもよいし、ＷＬＡＮを介して所定のサーバからダウンロードすることによって得てもよい。
【００３３】
外部メモリインターフェース１４は、ＳＤメモリカードやメモリースティックを差し込むためのスロット２４を備え、差し込まれたメモリカードの読み書きを行うＳＤアダプタ１４−１、差し込まれたメモリースティックの読み書きを行うＭＳアダプタ１４−２や、ＵＳＢメモリを差し込むためのポート２５を備えたＵＳＢコネクタ１４−３などから構成されている。
【００３４】
フォトセンサー１５は、表示部１１の輝度や明るさを自動調節するために周囲の明るさを検知するためのものであり、検知された制御信号は制御部１９へ出力される。このフォトセンサー１５は、デジタルフォトフレーム１０の前面側に設けることがより望ましい。
【００３５】
電源制御部１６は、デジタルフォトフレーム１０内の各部に対して電力の供給を行う。供給される電力は、電源端子２３に接続された電源アダプタを介して外部電源から得るようにしてもよく、あるいはデジタルフォトフレーム１０内に設けた充電地（図示せず）などから得るようにしてもよい。
【００３６】
データ通信モジュール１７は、無線通信でデータの送受信を行うＷＬＡＮモジュール１７−１や、赤外線を利用して近距離データ通信を行うＳＩＲ（Ｓｅｒｉａｌ  ＩｒＤＡ）モジュール１７−２などから構成されている。
【００３７】
音声出力部１８は、メモリカードなどから読み出された音楽データを再生して出力するために、Ｄ／Ａコンバータ（ＤＡＣ）、アンプ、スピーカー２２−１，２２−２などから構成されている。さらに、音声出力部１８は、図３で示すように、音量を調節するための音量ダイヤル２６やヘッドホンを接続するためのヘッドホン端子２７を備えている。
【００３８】
制御部１９は、マイクロプロセッサを主たる構成要素とし、一般的なコンピュータ装置と同様に各種クロックパルスを生成して、ＮＡＮＤ型フラッシュメモリ１３−２に格納されている制御プログラムに基づき各部動作を制御する。また、ＳＤＲＡＭ１３−１には、プログラム実行中に一時的に保持する必要の生じたデータを保存する。
【００３９】
また、制御部１９は、操作部１２からの操作入力に応じてスロット２４に差し込まれたＳＤメモリカードやメモリースティックに画像データとして記録されているＪＰＥＧ形式の画像ファイル（ＪＰＥＧファイル）をＮＡＮＤ型フラッシュメモリ１３−２のユーザ領域へコピーして保存したり、ＳＤメモリカードなどの画像データやＮＡＮＤ型フラッシュメモリ１３−２に保存されている画像データを表示部１１にスライドショー再生させたりする。
【００４０】
さらに、制御部１９は、操作部１２からの操作入力に応じてスロット２４に差し込まれたＳＤメモリカードやメモリースティックに音楽データとして記録されているＭＰ３形式の音楽ファイル（ＭＰ３ファイル）をＮＡＮＤ型フラッシュメモリ１３−２のユーザ領域へコピーして保存したり、ＳＤメモリカードなどの音楽データやＮＡＮＤ型フラッシュメモリ１３−２に保存されている音楽データを再生させて音声出力部１８から出力させたりする。
【００４１】
ここで、操作部１２から操作入力を行う際に、本実施例の制御部１９は、ユーザがいずれかの操作ボタン１２−１に触れると、センサ１２−２によってユーザが操作入力を行おうとする状態にあることが検知されるので、操作部１２の操作ボタンに対応するボタン配置のイメージと各操作ボタンに対応するボタン機能の内容をＬＥＤ１１−２によって表示するようにＬＥＤバックライトコントローラ１１−３に対して制御信号を出力する。ここで、操作ボタンに対応するボタン配置のイメージは、操作部１２の操作ボタンをデジタルフォトフレーム１０の前面側から透かし見て同じ位置に同じ大きさで表示させると、背面側に設けられている操作部１２の操作ボタンの位置を目視して確認する必要がなくブラインドタッチでボタン操作を行うことができるため好ましい。
【００４２】
さらに、制御部１９は、ユーザがボタン配置のイメージを見ながら、所望の操作ボタンに触れると、センサ１２−２によってユーザが所望する操作ボタンを選択した状態にあることが検知されるので、この選択された操作ボタンに対応するボタン配置のイメージを、他のボタン配置のイメージとは異なる、例えば緑色で表示するようにＬＥＤバックライトコントローラ１１−３に対して制御信号を出力する。
【００４３】
そして、制御部１９は、ユーザが緑色で表示されたボタン配置のイメージに対応する操作ボタンを押下すると、センサ１２−２によってユーザがこの操作ボタンを確定した状態にあることが検知されるので、この確定された操作ボタンに対応するボタン配置のイメージを、他のボタン配置のイメージとは異なる、例えば赤色で表示するようにＬＥＤバックライトコントローラ１１−３に対して制御信号を出力する。それとともに、この押下された操作ボタンによって指示された制御、例えば、スライドショー再生の一時停止、画像の切り換えや回転などの処理を行う。
【００４４】
図４は、本発明の実施例に係る画像データを再生したときの表示画面の一例を示す図、図５は、本発明の実施例に係るボタン配置のイメージを表示したときの表示画面の一例を示す図、図６は、本発明の実施例に係るボタン配置のイメージを表示したときの表示画面のその他の例を示す図である。
【００４５】
図４で示すように、デジタルフォトフレーム１０の表示部１１には、ＳＤメモリカードやメモリースティックに記録されている画像データ（ＪＰＥＧファイル）やＮＡＮＤ型フラッシュメモリ１３−２に保存されている画像データが読み出されて表示部１１にて再生表示される。
【００４６】
そして、図４で示す表示状態においてユーザがデジタルフォトフレーム１０の背面に設けられた操作部１２のいずれかの操作ボタン１２−１に触れると、図５（Ａ）で示すように、表示部１１に表示されている画像データに重畳して操作部１２の操作ボタンに対応するボタン配置のイメージ２８が表示される。このとき、ボタン配置のイメージ２８は操作部１２の操作ボタンをデジタルフォトフレーム１０の前面側から透かし見て同じ位置に同じ大きさで表示される。
【００４７】
そして、図５（Ａ）で示す表示状態においてユーザがデジタルフォトフレーム１０の背面に設けられた操作部１２の中から所望の操作ボタン（ここでは、決定ボタン）に触れると、図５（Ｂ）で示すように、その操作ボタンに対応するボタン配置のイメージのみが、例えば、緑色（図５（Ｂ）では、斜線パターン）で表示され、さらに、その操作ボタンが押下されると、図５（Ｃ）で示すように、その操作ボタンに対応するボタン配置のイメージのみが、例えば、赤色（図５（Ｃ）では、格子パターン）で表示されるような構成になっている。
【００４８】
なお、図６で示すように、表示部１１に表示されている画像データに重畳して操作部１２の操作ボタンに対応するボタン配置のイメージ２８に加えて、各操作ボタンに対応するボタン機能の内容２９を表示すると、ユーザがボタン操作の内容を把握しながらボタン操作を行うことができるためより望ましい。
【００４９】
次に、本実施例に係るデジタルフォトフレームの表示制御方法について説明する。
【００５０】
図７は、本発明の実施例に係るデジタルフォトフレームの動作を示すフローチャートである。なお、図７に示す処理は制御部１９がＮＡＮＤ型フラッシュメモリ１３−２に記憶されている制御プログラムを実行することで実現される。
【００５１】
まずステップＳ７０１において、ユーザがデジタルフォトフレーム１０に対して電源スイッチ２１を押下することにより電源オンの指示を行うと、制御部１９は電源制御部１６を制御することによって各部へ電力が供給される。
【００５２】
そして、ステップＳ７０２において、ＮＡＮＤ型フラッシュメモリ１３−２に画像データが保存されている場合やスロット２４にＳＤメモリカードやメモリースティックが差し込まれている場合には、制御部１９は、ＮＡＮＤ型フラッシュメモリ１３−２やＳＤメモリカードなどから画像データを順次読み出すことによりスライドショー再生を行い、表示部１１に表示させる。尚、ステップＳ７０２において、表示部１１に画像を表示しない構成としても良い。
【００５３】
ステップＳ７０３の処理では、制御部１９は、ユーザからデジタルフォトフレーム１０に対して電源オフの指示があるか否か判定し、電源オフの指示がある場合には処理を終了し、一方、電源オフの指示がない場合にはステップＳ７０４の処理に進む。
【００５４】
ステップＳ７０４の処理では、制御部１９は、センサ１２−２の検知結果に基づいて、ユーザがデジタルフォトフレーム１０の背面に設けられた操作部１２のいずれかの操作ボタンに触れたか否かを判定し、ユーザが操作ボタンに接触したことが検出された場合にはステップＳ７０５の処理に進み、一方、ユーザが操作ボタンに接触したことが検出されない場合にはステップＳ７０３の処理に戻る。
【００５５】
ステップＳ７０５の処理では、制御部１９は、ＬＥＤバックライトコントローラ１１−３を制御することによって、表示部１１に表示されている画像データに重畳して操作部１２の操作ボタンに対応するボタン配置のイメージ２８が表示し、ステップＳ７０６において、タイマのカウントを開始する。
【００５６】
そして、ステップＳ７０７において、制御部１９は、センサ１２−２の検知結果に基づいて、ユーザが所望する特定の操作ボタン、例えば、スライドショー再生を一時停止させるための決定ボタンに触れたか否かを判定し、ユーザが操作ボタンに接触したことが検出されない場合にはステップＳ７０８の処理に進み、一方、ユーザが操作ボタンに接触したことが検出された場合にはステップＳ７０９の処理に進む。
【００５７】
ステップＳ７０９の処理では、制御部１９は、カウントを途中まで行っていたタイマをクリアし、再び最初からカウントを開始させ、次のステップＳ７１０において、ＬＥＤバックライトコントローラ１１−３を制御することによって、選択された操作ボタンに対応するボタン配置のイメージ（ここでは、決定ボタンのイメージ）を、他のボタン配置のイメージとは異なる、例えば緑色で表示する。
【００５８】
一方、ステップＳ７０８の処理では、制御部１９は、タイマが所定時間（例えば、３０秒間）までカウントしたか否かを判定し、タイマが所定時間までカウントするまでステップＳ７０７の処理に戻り、タイマが所定時間までカウントするとステップＳ７１７の処理に進む。
【００５９】
次に、ステップＳ７１１において、制御部１９は、センサ１２−２の検知結果に基づいて、ユーザが所望する特定の操作ボタン（ここでは、決定ボタン）を押下したか否かを判定し、ユーザが操作ボタンを押下したことが検出されない場合にはステップＳ７１２の処理に進み、一方、ユーザが操作ボタンを押下したことが検出された場合にはステップＳ７１３の処理に進む。
【００６０】
ステップＳ７１３の処理では、制御部１９は、カウントを途中まで行っていたタイマをクリアし、再び最初からカウントを開始させ、次のステップＳ７１４において、ＬＥＤバックライトコントローラ１１−３を制御することによって、押下された操作ボタンに対応するボタン配置のイメージ（ここでは、決定ボタンのイメージ）を、他のボタン配置のイメージとは異なる、例えば赤色で表示する。
【００６１】
一方、ステップＳ７１２の処理では、制御部１９は、タイマが所定時間（例えば、３０秒間）までカウントしたか否かを判定し、タイマが所定時間までカウントするまでステップＳ７１１の処理に戻り、タイマが所定時間までカウントするとステップＳ７１７の処理に進む。
【００６２】
次に、ステップＳ７１５において、制御部１９は、押下された操作ボタンによって指示された制御（ここでは、スライドショー再生の一時停止）を実行し、次のステップＳ７１６において、制御部１９は、タイマが所定時間（例えば、３０秒間）までカウントしたか否かを判定し、タイマが所定時間までカウントするまでステップＳ７０７の処理に戻り、タイマが所定時間までカウントするとステップＳ７１７の処理に進む。
【００６３】
そして、ステップＳ７１７の処理では、制御部１９は、ＬＥＤバックライトコントローラ１１−３を制御することによって、表示されている操作部１２の操作ボタンに対応するボタン配置のイメージ２８を消去してステップＳ７０３の処理に戻る。
【００６４】
なお、上記実施例では、ユーザが所望する操作ボタンを接触あるいは押下した際に、その操作ボタンに対応するボタン配置のイメージをそれぞれ異なる表示態様で表示する方法として、接触した場合には緑色で表示し、押下した場合には赤色で表示する例について説明したが、表示態様はこれに限ることはなく、例えば、接触した場合にはその操作ボタンに対応するボタン配置のイメージを点滅させ、押下した場合には固定点灯させるように制御してもよい。
【００６５】
また、上記実施例では、ボタン配置のイメージを操作部１２の操作ボタンをデジタルフォトフレーム１０の前面側から透かし見て同じ位置に同じ大きさで表示しているが、これに限らず、操作部１２の操作ボタンに対応したボタン配置のみを示すイメージであってもよい。図８は、本発明の実施例に係るボタン配置のイメージを表示したときの表示画面のその他の例を示す図である。
【００６６】
すなわち、図８で示すように、表示部１１の表示画面内の任意の位置、例えば、表示画面の右下隅に操作部１２の操作ボタンよりも小さいサイズではあるが、操作部１２の操作ボタンに対応したボタン配置のイメージ３０を各操作ボタンに対応するボタン機能の内容とともに表示する。そしてユーザが所望する操作ボタンを接触あるいは押下した際には、その操作ボタンに対応するボタン配置のイメージをそれぞれ異なる表示態様で表示してもよい。
【００６７】
以上説明したように、本発明に係る画像表示装置によれば、表示手段の背面側に設けられた操作ボタンに対応したボタン配置のイメージが表示手段に表示されるため、表示手段に表示されたボタン配置のイメージを見ながらブラインドタッチでボタン操作を行うことができるため、ユーザにとっての操作性に優れた画像表示装置を提供することが可能である。
【００６８】
また、ユーザがボタン操作を行ったボタンイメージが異なる表示態様で表示手段に表示されるため、表示手段に表示されたボタン配置のイメージを見ながらユーザが操作したボタンを視認することができ、また、ボタン操作の内容を把握しながらボタン操作を行うことができるので、ユーザにとっての利便性がさらに向上する。
【図面の簡単な説明】
【００６９】
【図１】本発明の実施例に係るデジタルフォトフレームの一例を示す斜視図である。
【図２】図１におけるデジタルフォトフレームの背面図である。
【図３】本発明の実施例に係るデジタルフォトフレームの構成を示すブロック図である。
【図４】本発明の実施例に係る画像データを再生したときの表示画面の一例を示す図である。
【図５】本発明の実施例に係るボタン配置のイメージを表示したときの表示画面の一例を示す図である。
【図６】本発明の実施例に係るボタン配置のイメージを表示したときの表示画面のその他の例を示す図である。
【図７】本発明の実施例に係るデジタルフォトフレームの動作を示すフローチャートである。
【図８】本発明の実施例に係るボタン配置のイメージを表示したときの表示画面のその他の例を示す図である。
【符号の説明】
【００７０】
１０・・・・デジタルフォトフレーム
１１・・・・表示部
１１−１・・・・ＬＣＤモジュール
１１−２・・・・ＬＥＤ
１１−３・・・・ＬＥＤバックライトコントローラ
１２・・・・操作部
１２−１・・・・操作ボタン
１２−２・・・・センサ
１３・・・・内蔵メモリ
１３−１・・・・ＳＤＲＡＭ
１３−２・・・・ＮＡＮＤ型フラッシュメモリ
１４・・・・外部メモリインターフェース
１４−１・・・・ＳＤアダプタ
１４−２・・・・ＭＳアダプタ
１４−３・・・・ＵＳＢコネクタ
１５・・・・フォトセンサー
１６・・・・電源制御部
１７・・・・データ通信モジュール
１７−１・・・・ＷＬＡＮモジュール
１７−２・・・・ＳＩＲモジュール
１８・・・・音声出力部
１９・・・・制御部
【図１】
2010033135.tif 000003
【図２】
2010033135.tif 000004
【図３】
2010033135.tif 000005
【図４】
2010033135.tif 000006
【図５】
2010033135.tif 000007
【図６】
2010033135.tif 000008
【図７】
2010033135.tif 000009
【図８】
2010033135.tif 000010